(57)【要約】【課題】パンツ型の吸収性物品の横方向の端部を更に摘み易くする。【解決手段】  装着時に着用者の腹側に配される腹側部と、前記着用者の背側に配される背側部と、前記着用者の股間に配される股下部とを有した吸収性物品を、前記股下部にて二つ折りして前記腹側部と前記背側部とを重ね合わせた状態で、前記腹側部と前記背側部とを横方向の各端部でそれぞれ接合することにより、前記横方向と交差する縦方向において互いに異なる位置に、胴回り開口部と一対の脚回り開口部とが形成されたパンツ型の吸収性物品である。前記腹側部の坪量と前記背側部の坪量との合計値（ｇ／ｍ2）が、第１坪量（ｇ／ｍ2）から第２坪量（ｇ／ｍ2）へと変化する変化部を前記縦方向の所定範囲に有する。前記各端部のうちの少なくとも一方の端部において前記所定範囲の部分に、貫通孔が形成されている。【選択図】図６
2015150189.tif 000002
【特許請求の範囲】
【請求項１】
装着時に着用者の腹側に配される腹側部と、前記着用者の背側に配される背側部と、前記着用者の股間に配される股下部とを有した吸収性物品を、前記股下部にて二つ折りして前記腹側部と前記背側部とを重ね合わせた状態で、前記腹側部と前記背側部とを横方向の各端部でそれぞれ接合することにより、前記横方向と交差する縦方向において互いに異なる位置に、胴回り開口部と一対の脚回り開口部とが形成されたパンツ型の吸収性物品であって、
前記腹側部の坪量と前記背側部の坪量との合計値（ｇ／ｍ2）が、第１坪量（ｇ／ｍ2）から第２坪量（ｇ／ｍ2）へと変化する変化部を前記縦方向の所定範囲に有し、
前記各端部のうちの少なくとも一方の端部において前記所定範囲の部分に、貫通孔が形成されていることを特徴とするパンツ型の吸収性物品。
【請求項２】
請求項１に記載のパンツ型の吸収性物品であって、
前記端部のうちの前記変化部に、前記貫通孔の少なくとも一部が形成されていることを特徴とするパンツ型の吸収性物品。
【請求項３】
請求項１又は２に記載のパンツ型の吸収性物品であって、
前記第２坪量は前記第１坪量よりも小さく、
前記端部のうちで前記第２坪量の部分に前記貫通孔が形成されていることを特徴とするパンツ型の吸収性物品。
【請求項４】
請求項１乃至３の何れかに記載のパンツ型の吸収性物品であって、
前記腹側部及び前記背側部には、それぞれ、弾性部材が前記横方向に伸長した状態で前記横方向に沿って固定されており、
前記弾性部材は、前記端部において前記貫通孔が形成された部分には位置していないことを特徴とするパンツ型の吸収性物品。
【請求項５】
請求項４に記載のパンツ型の吸収性物品であって、
前記腹側部に固定された前記弾性部材のうちで前記貫通孔に最も近い位置に配された弾性部材と、前記背側部に固定された前記弾性部材のうちで前記貫通孔に最も近い位置に配された弾性部材とは、前記縦方向にずれて配置されていることを特徴とするパンツ型の吸収性物品。
【請求項６】
請求項１乃至５の何れかに記載のパンツ型の吸収性物品であって、
前記変化部は、前記縦方向に所定の長さの領域として存在し、
前記端部のうちの前記変化部に、前記貫通孔が形成されていることを特徴とするパンツ型の吸収性物品。
【請求項７】
請求項１乃至６の何れかに記載のパンツ型の吸収性物品であって、
前記端部には、複数の貫通孔が形成されており、
前記端部のうちで前記所定範囲の部分の単位面積に占める前記貫通孔の面積の割合は、前記端部において前記部分以外の部分の単位面積に占める前記貫通孔の面積の割合よりも大きいことを特徴とするパンツ型の吸収性物品。
【発明の詳細な説明】
【技術分野】
【０００１】
本発明は、尿等の排泄液を吸収するパンツ型の吸収性物品に関する。
【背景技術】
【０００２】
従来、尿等の排泄液を吸収する吸収性物品として、パンツ型の使い捨ておむつが使用されている。このおむつは、装着時に着用者の腹側に配される腹側部と、同着用者の背側に配される背側部と、同着用者の股間に配される股下部とを有する。そして、かかるおむつを股下部にて二つ折りして腹側部と背側部とを重ね合わせた状態で、腹側部と背側部とを横方向の各端部でそれぞれ接合することにより、胴回り開口部と一対の脚回り開口部とが形成されたパンツ型のおむつの形にして、ユーザーに提供している。
【先行技術文献】
【特許文献】
【０００３】
【特許文献１】特開２００８−２５６３３号
【発明の概要】
【発明が解決しようとする課題】
【０００４】
図１Ａ及び図１Ｂは、このパンツ型のおむつ１’の一例の説明図である。なお、図１Ａには、横方向の端部１１ｅｓの概略拡大図を示しており、また、図１Ｂには、図１Ａ中のＢ−Ｂ矢視の概略図を示している。図１Ａに示すように、このおむつ１’にあっては、上述の腹側部１１ａと背側部１１ｂとの接合に伴って、当該腹側部１１ａ及び背側部１１ｂの横方向の各端部１１ｅｓには、それぞれ溶着部ｊｍ’が形成されている。例えば、図１Ａの例では、溶着部ｊｍ’は、胴回り開口部１ＨＢの方から脚回り開口部１ＨＬの方へと縦方向に帯状に延在している。また、同おむつ１’を着用者に履かせる際には、介護者が適宜当該各端部１１ｅｓを指で摘みながら胴回り開口部１ＨＢを横方向に広げる等する。しかし、その際に、同端部１１ｅｓを摘み難い場合があった。
【０００５】
この点につき、縦方向の少なくとも何れかの位置で、上記端部１１ｅｓが選択的に折れ曲がり易くなっていれば、当該位置で上記端部１１ｅｓを摘んだ際に、指で摘まれた部分が同指に絡むようになる。すなわち、指の表面形状に倣って柔軟に変形することで上記部分の指との接触面積が増える等して、その結果、安定して上記端部１１ｅｓを摘むことができるものと考えられる。
【０００６】
そして、この折れ曲がり易い位置の候補としては、上記端部１１ｅｓにおいて坪量（ｇ／ｍ2）が変化する部分１１ｅｓｐ（以下、変化部１１ｅｓｐとも言う）が挙げられる。例えば、図１Ｂに示すように、おむつ１’の胴回り開口部１ＨＢでは、腹側部１１ａ及び背側部１１ｂを構成する不織布等のシートが折り返されており、そのために、縦方向の略上半部１１ｕは、積層枚数の多い部分となっており、他方、同略下半部１１ｄは、積層枚数の少ない部分となっている。そして、かかる状態は、横方向の上記端部１１ｅｓにおいても同様である。よって、当該端部１１ｅｓにおける略上半部１１ｅｓｕは坪量（ｇ／ｍ2）が大きく略下半部１１ｅｓｄは坪量（ｇ／ｍ2）が小さく、縦方向の略中央部分には、坪量（ｇ／ｍ2）が変化する変化部１１ｅｓｐが存在する。そして、その場合には、当該変化部１１ｅｓｐで端部１１ｅｓの剛性が変化するので、同変化部１１ｅｓｐが折れ曲がりの起点となり易いと考えられて、故に、かかる変化部１１ｅｓｐで上記端部１１ｅｓを摘むようにすれば、摘んだ指に同変化部１１ｅｓｐ及びその近傍部分が倣って速やかに折れ曲がり、結果、安定して摘むことができるものと考えられる。
【０００７】
しかし、摘み易さの更なる向上が望まれている。そして、その一策としては、変化部１１ｅｓｐの剛性を更に下げることが考えられる。
【０００８】
本発明は、上記のような従来の問題に鑑みてなされたものであって、その目的は、パンツ型の吸収性物品の横方向の端部を更に摘み易くすることにある。
【課題を解決するための手段】
【０００９】
上記目的を達成するための主たる発明は、
装着時に着用者の腹側に配される腹側部と、前記着用者の背側に配される背側部と、前記着用者の股間に配される股下部とを有した吸収性物品を、前記股下部にて二つ折りして前記腹側部と前記背側部とを重ね合わせた状態で、前記腹側部と前記背側部とを横方向の各端部でそれぞれ接合することにより、前記横方向と交差する縦方向において互いに異なる位置に、胴回り開口部と一対の脚回り開口部とが形成されたパンツ型の吸収性物品であって、
前記腹側部の坪量と前記背側部の坪量との合計値（ｇ／ｍ2）が、第１坪量（ｇ／ｍ2）から第２坪量（ｇ／ｍ2）へと変化する変化部を前記縦方向の所定範囲に有し、
前記各端部のうちの少なくとも一方の端部において前記所定範囲の部分に、貫通孔が形成されていることを特徴とするパンツ型の吸収性物品である。
本発明の他の特徴については、本明細書及び添付図面の記載により明らかにする。
【発明の効果】
【００１０】
本発明によれば、パンツ型の吸収性物品の横方向の端部を更に摘み易くすることができる。
【図面の簡単な説明】
【００１１】
【図１】図１Ａは、参考例のおむつ１’の横方向の端部１１ｅｓの概略拡大図であり、図１Ｂは、図１Ａ中のＢ−Ｂ矢視の概略図である。
【図２】第１実施形態のパンツ型の吸収性物品の一例としてのパンツ型の使い捨ておむつ１の概略斜視図である。
【図３】図３Ａは、展開状態のおむつ１を肌側から見た概略平面図であり、図３Ｂは、図３Ａ中のＢ−Ｂ矢視の概略図である。
【図４】展開状態のおむつ１を分解して示す概略斜視図である。
【図５】展開状態の外装シート１１を非肌側から見た概略平面図である。
【図６】図６Ａは、坪量の変化部１１ｅｓｐに貫通孔Ｈが形成された第１実施形態の側端部１１ｅｓの概略拡大図であり、図６Ｂは、図６Ａ中のＢ―Ｂ矢視の概略図である。
【図７】図７Ａ及び図７Ｂは、それぞれ、変化部１１ｅｓｐの近傍部分に貫通孔Ｈが形成された側端部１１ｅｓの概略拡大図である。
【図８】図８Ａは、貫通孔Ｈと糸ゴム１５との縦方向の位置関係を説明するための側端部１１ｅｓの概略拡大図であり、図８Ｂは、図８Ａ中のＢ―Ｂ矢視の概略図である。
【図９】図９Ａは、貫通孔Ｈと糸ゴム１５との縦方向の位置関係の他の例を説明するための側端部１１ｅｓの概略拡大図であり、図９Ｂは、図９Ａ中のＢ―Ｂ矢視の概略図である。
【図１０】変化部１１ｅｓｐが縦方向に所定の長さの領域として存在している例の説明図である。
【図１１】図１１Ａ及び図１１Ｂは、それぞれ、坪量の変化部１１ｅｓｐに貫通孔Ｈ２が形成された第２実施形態の側端部１１ｅｓの概略拡大図である。
【図１２】展開状態の３ピースタイプのおむつを肌側から見た概略平面図である。
【図１３】図１３Ａは、お手当てシート１４，１４を有した展開状態のおむつ１を肌側から見た概略平面図であり、図１３Ｂは、図１３Ａ中のＢ−Ｂ矢視の概略図である。
【図１４】お手当てシート１４を有した側端部１１ｅｓを図６Ａ中のＢ―Ｂ矢視で示す概略図である。
【発明を実施するための形態】
【００１２】
本明細書及び添付図面の記載により、少なくとも以下の事項が明らかとなる。
装着時に着用者の腹側に配される腹側部と、前記着用者の背側に配される背側部と、前記着用者の股間に配される股下部とを有した吸収性物品を、前記股下部にて二つ折りして前記腹側部と前記背側部とを重ね合わせた状態で、前記腹側部と前記背側部とを横方向の各端部でそれぞれ接合することにより、前記横方向と交差する縦方向において互いに異なる位置に、胴回り開口部と一対の脚回り開口部とが形成されたパンツ型の吸収性物品であって、
前記腹側部の坪量と前記背側部の坪量との合計値（ｇ／ｍ2）が、第１坪量（ｇ／ｍ2）から第２坪量（ｇ／ｍ2）へと変化する変化部を前記縦方向の所定範囲に有し、
前記各端部のうちの少なくとも一方の端部において前記所定範囲の部分に、貫通孔が形成されていることを特徴とするパンツ型の吸収性物品である。
【００１３】
かかるパンツ型の吸収性物品によれば、上記端部のうちの上記変化部では、坪量の変化に伴って上記端部の剛性が変化していて、これにより、上記端部は、同変化部で折れ曲がり易くなっている。また、上記変化部を含む所定範囲に対応させて上記端部には、貫通孔が形成されており、これにより、変化部及びその近傍部分での上記端部の折れ曲がり性は、更に向上されている。よって、上記変化部及びその近傍部分において上記端部をより摘み易くすることができる。
【００１４】
かかるパンツ型の吸収性物品であって、
前記端部のうちの前記変化部に、前記貫通孔の少なくとも一部が形成されているのが望ましい。
【００１５】
かかるパンツ型の吸収性物品によれば、上記の貫通孔に基づいて、上記端部の剛性を変化部において確実に下げることができる。そして、これにより、上記端部は、同変化部で確実に折れ曲がり易くなって、結果、端部をより摘み易くすることができる。
【００１６】
かかるパンツ型の吸収性物品であって、
前記第２坪量は前記第１坪量よりも小さく、
前記端部のうちで前記第２坪量の部分に前記貫通孔が形成されているのが望ましい。
【００１７】
かかるパンツ型の吸収性物品によれば、上記端部のうちで第２坪量の部分に貫通孔が形成されているが、当該第２坪量の部分は、第１坪量の部分よりも坪量が小さくなっている。そのため、第１坪量の部分よりも折れ曲がり易い。よって、第１坪量の部分に貫通孔が形成されるよりも、端部を摘まみ易くすることができる。
【００１８】
かかるパンツ型の吸収性物品であって、
前記腹側部及び前記背側部には、それぞれ、弾性部材が前記横方向に伸長した状態で前記横方向に沿って固定されており、
前記弾性部材は、前記端部において前記貫通孔が形成された部分には位置していないのが望ましい。
【００１９】
かかるパンツ型の吸収性物品によれば、上記端部のうちで貫通孔が形成された部分に弾性部材の収縮力が作用することを効果的に防ぐことができて、これにより、貫通孔が横方向に収縮して潰れることを確実に抑制可能となる。そして、その結果、上記端部のうちで貫通孔が形成された部分を摘み易い状態に維持することができる。
【００２０】
かかるパンツ型の吸収性物品であって、
前記腹側部に固定された前記弾性部材のうちで前記貫通孔に最も近い位置に配された弾性部材と、前記背側部に固定された前記弾性部材のうちで前記貫通孔に最も近い位置に配された弾性部材とは、前記縦方向にずれて配置されているのが望ましい。
【００２１】
かかるパンツ型の吸収性物品によれば、上記端部のうちで貫通孔が形成された部分に対して、腹側部及び背側部の両方から弾性部材の収縮力が作用して集中することを効果的に防ぐことができて、これにより、貫通孔が横方向に収縮して潰れることを確実に抑制可能となる。そして、その結果、上記端部のうちで貫通孔が形成された部分を摘み易い状態に維持することができる。
【００２２】
かかるパンツ型の吸収性物品であって、
前記変化部は、前記縦方向に所定の長さの領域として存在し、
前記端部のうちの前記変化部に、前記貫通孔が形成されているのが望ましい。
【００２３】
かかるパンツ型の吸収性物品によれば、変化部は、縦方向に所定の長さの領域として存在している。よって、指で上記変化部を摘まんだ際に、当該変化部は徐々に曲がることができて指に倣い易くなり、その結果、当該変化部を摘み易くなる。
【００２４】
かかるパンツ型の吸収性物品であって、
前記端部には、複数の貫通孔が形成されており、
前記端部のうちで前記所定範囲の部分の単位面積に占める前記貫通孔の面積の割合は、前記端部において前記部分以外の部分の単位面積に占める前記貫通孔の面積の割合よりも大きいのが望ましい。
【００２５】
かかるパンツ型の吸収性物品によれば、貫通孔は、上記端部のうちで上記所定範囲の部分に密集して設けられている。そのため、当該所定範囲の部分は、上記端部のうちで外観上特に目立った部分となっている。よって、摘むべき上記変化部を含む上記所定範囲に介護者は自然と目がいき易くなって、その結果、上記端部における上記変化部を摘むように介護者を速やかに誘導することができる。
【００２６】
＝＝＝第１実施形態＝＝＝
図２は、第１実施形態のパンツ型の吸収性物品の一例としてのパンツ型の使い捨ておむつ１の概略斜視図である。図３Ａは、展開状態のおむつ１を肌側から見た概略平面図であり、図３Ｂは、図３Ａ中のＢ−Ｂ矢視の概略図である。図４は、展開状態のおむつ１を分解して示す概略斜視図である。図５は、展開状態の外装シート１１を非肌側から見た概略平面図である。
【００２７】
なお、以下の説明では、おむつ１が着用者に装着された際に、当該着用者の肌側に位置すべき側のことを単に「肌側」と言い、他方、着用者の非肌側に位置すべき側のことを単に「非肌側」と言う。
【００２８】
図３Ａに示すように、このおむつ１は、例えば２ピースタイプのおむつ１である。すなわち、同おむつ１は、尿などの排泄液を吸収する例えば平面視略長方形形状の吸収性本体３を第１部品として有し、そして、上記吸収性本体３の非肌側面を覆って設けられておむつ１の外装をなす平面視略砂時計形状の外装シート１１を第２部品として有している。
【００２９】
図３Ａ、図３Ｂ、及び図４に示すように、吸収性本体３は、排泄液を吸収する吸収性コア３ｃを有する。吸収性コア３ｃは、パルプ繊維等の液体吸収性繊維や高吸収性ポリマー等の液体吸収性粒状物を、所定形状の一例としての平面視略砂時計形状に成形したものである。なお、かかる吸収性コア３ｃは、必要に応じてティッシュペーパー等の液透過性の被覆シートで被覆されていても良い。
【００３０】
かかる吸収性コア３ｃの肌側面には、当該面を全面に亘って覆うように不織布等の液透過性のトップシート４が設けられており、同様に、同吸収性コア３ｃの非肌側面には、当該面を全面に亘って覆うようにフィルム等の液不透過性の防漏シート５が設けられている。ここで、この例では、どちらのシート４，５も、平面視略長方形形状に形成されており、また、どちらのシート４，５も、吸収性コア３ｃの外形輪郭から全周に亘って外方に飛び出している。そして、トップシート４において飛び出した部分と防漏シート５において飛び出した部分とが、互いに接着や溶着等によって接合されており、その結果、平面視略長方形形状の吸収性本体３が形成されている。
【００３１】
なお、不図示であるが、かかる吸収性本体３の幅方向の両端部に対して、それぞれ、同本体３の長手方向に沿って弾性部材としての糸ゴムを設けても良い。かかる糸ゴムは、吸収性本体３及び外装シート１１における脚回り開口部１ＨＬの近傍部分に伸縮性を付与するものである。よって、かかる糸ゴムは、トップシート４と防漏シート５との間に介挿されつつ、自然長から２〜４倍等の所定倍率まで伸長された状態でホットメルト接着剤等の接着剤により両シート４，５に固定される。
【００３２】
また、場合によっては、尿の横漏れを防止する目的で防漏壁部（不図示）を吸収性本体３に設けても良い。かかる防漏壁部は、立体ギャザーとも呼ばれるものであり、不織布等の柔軟なシートを材料として、吸収性本体３の肌側面等の両端部にそれぞれ起立するように設けられる。但し、かかる防漏壁部は、周知構成である。そのため、これ以上の説明については省略する。
【００３３】
外装シート１１は、図５の展開状態においては、平面視略砂時計形状の柔軟なシートであり、同シート１１は、互いに直交する三方向として、厚さ方向と長手方向と幅方向とを有している。また、当該外装シート１１は、長手方向に関して三つの部分１１ａ，１１ｂ，１１ｃに区分される。すなわち、外装シート１１は、着用者の腹側に配される腹側部１１ａと、着用者の背側に配される背側部１１ｂと、着用者の股間に配される股下部１１ｃとに区分される。なお、当然ながら、股下部１１ｃは、腹側部１１ａと背側部１１ｂとの間に位置しており、これにより、当該股下部１１ｃは、平面視略砂時計形状において幅方向に括れた形状の部分１１ｃとなっている。
【００３４】
図４に示すように、かかる外装シート１１は、一枚のシート１２を本体とするか、或いは複数枚のシートを積層一体化した積層シートを本体とし、この例では、一枚のシート１２を本体としている。なお、この本体となるシート１２の材料には、熱可塑性樹脂繊維を含む不織布や熱可塑性樹脂フィルム等が使用され、この例では、１５（ｇ／ｍ2）の坪量のＳＭＳ不織布（スパンボンド／メルトブローン／スパンボンド不織布）が使用されているが、何等これに限らない。
【００３５】
また、図４及び図５に示すように、この例では、同シート１２における腹側部１２ａ及び背側部１２ｂに対しては、それぞれ、当該シート１２の非肌側面に別のシート１３ａ，１３ｂが接着又は溶着等によって接合されているが、股下部１２ｃについては、別のシートが接合されていない。但し、何等これに限らず、股下部１２ｃにも別のシートが接合されていても良く、更には、股下部１２ｃの別のシートが、腹側部１２ａの別のシート１３ａ及び背側部１２ｂの別のシート１３ｂと一体であっても良い。また、当該別のシート１３ａ，１３ｂの材料には、熱可塑性樹脂繊維を含む不織布や熱可塑性樹脂フィルム等が使用され、この例では、熱可塑性樹脂繊維を含む１７（ｇ／ｍ2）の坪量のスパンボンド不織布が使用されているが、何等これに限らない。
【００３６】
なお、以下では、外装シート１１の本体となる上記シート１２のことを「本体シート１２」と言い、本体シート１２における腹側部１２ａに接合される上記別のシート１３ａのことを「腹側部外面シート１３ａ」と言い、本体シート１２における背側部１２ｂに接合される上記別シート１３ｂのことを「背側部外面シート１３ｂ」という。
【００３７】
ここで、図４及び図５に示すように、本体シート１２と腹側部外面シート１３ａとの間、及び本体シート１２と背側部外面シート１３ｂとの間には、それぞれ、弾性部材の一例としての糸ゴム１５，１５…が介挿されている。かかる糸ゴム１５，１５…は、外装シート１１の腹側部１１ａ及び背側部１１ｂに対して幅方向の伸縮性を付与するものである。そのため、当該糸ゴム１５，１５…は、自然長から２〜４倍等の所定倍率まで伸長された状態で幅方向に沿って配置されつつ、ホットメルト接着剤等の接着剤により展開状態の各シート１２，１３ａ，１３ｂに固定されている。かかる糸ゴム１５，１５…は、本体シート１２の長手方向に並んで互いの間に間隔をあけながら複数本配置されており、これにより、腹側部１１ａ及び背側部１１ｂのそれぞれについて上記長手方向の広範囲に亘って伸縮性が付与されている。
【００３８】
また、図４に示すように、腹側部外面シート１３ａ及び背側部外面シート１３ｂは、それぞれ本体シート１２における長手方向の端縁部１２ｅＬａ，１２ｅＬｂよりも外方に飛び出すように設けられており、そして、各シート１３ａ，１３ｂにおいて本体シート１２から外方に飛び出した部分１３ａｐ，１３ｂｐについては、長手方向の内方に折り返されていて、これにより、図３Ｂに示すように、当該飛び出した部分１３ａｐ，１３ｂｐは、本体シート１２の肌側面に重ね合わせられている。そして、これにより、胴回り開口部１ＨＢとなる端縁部１１ＨＢａ，１１ＨＢｂは、腹側部外面シート１３ａの折り返し部１３ａｋ及び背側部外面シート１３ｂの折り返し部１３ｂｋによって形成されていて、つまり、当該折り返し部１３ａｋ，１３ｂｋによって、本体シート１２の端縁部１２ｅＬａ，１２ｅＬｂは覆われている。よって、本体シート１２の端縁部１２ｅＬａ，１２ｅＬｂによって着用者の肌が傷つけられることは防止されている。なお、この例では、図３Ａ及び図３Ｂを参照して明らかなように、本体シート１２の肌側面に重ね合わせられた上記の飛び出した部分１３ａｐ，１３ｂｐは、更に吸収性本体３の長手方向の各端部３ｅａ，３ｅｂも肌側から覆っているが、何等これに限るものではない。すなわち、覆わなくても良い。
【００３９】
図３Ａ及び図４に示すように、かかる外装シート１１の肌側面、すなわち本体シート１２の肌側面における幅方向の中央位置には、前述の吸収性本体３が互いの長手方向を揃えた状態で固定されている。また、吸収性本体３の長手方向の長さ及び幅方向の長さは、それぞれ、当該吸収性本体３が外装シート１１の内側に概ね収まるような長さとされている。
【００４０】
そして、図３Ａの如く吸収性本体３が固定された外装シート１１は、股下部１１ｃにて二つ折りされて腹側部１１ａと背側部１１ｂとが重ね合わせられる。そして、この重ね合わせられた状態において、腹側部１１ａと背側部１１ｂとが幅方向の各端部１１ｅｓでそれぞれ接合されることにより、図２に示すような胴回り開口部１ＨＢと一対の脚回り開口部１ＨＬ，１ＨＬとが形成されたパンツ型のおむつ１の形態にされる。
【００４１】
なお、以下では、上述のように接合される幅方向の端部１１ｅｓのことを「側端部１１ｅｓ」とも言う。
また、以下では、同図２の如くパンツ型にされたおむつ１の三次元形状の方向について、次のように定義する。先ず、外装シート１１の幅方向と平行な方向のことを「横方向」と言う。また、外装シート１１の長手方向と平行な方向のことを「縦方向」と言う。横方向と縦方向とは直交している。また、横方向と縦方向との両者と直交する方向のことを「前後方向」と言う。なお、前後方向の前方が、着用者の前側たる腹側であり、同前後方向の後方が、着用者の後側たる背側である。また、おむつ１を装着した際には、上記の縦方向は上下方向を向くことから、縦方向のことを「上下方向」とも言う。ちなみに、上下方向で言えば、脚回り開口部１ＨＬは、胴回り開口部１ＨＢよりも下方に位置している。更に、横方向のことを「左右方向」とも言う。
【００４２】
上述の接合は、超音波溶着処理やヒートシール処理などで行われ、この例では、超音波溶着処理でなされている。そして、かかる接合に伴って、外装シート１１の腹側部１１ａにおける横方向の各端部１１ｅｓ、すなわち各側端部１１ｅｓには、それぞれ接合部ｊが縦方向に沿って形成されており、同様に外装シート１１の背側部１１ｂにおける各側端部１１ｅｓにも、それぞれ接合部ｊが縦方向に沿って形成されている（図２）。なお、これら腹側部１１ａの接合部ｊと背側部１１ｂの接合部ｊとは一体となっていて、上記の側端部１１ｅｓにおいて表裏の位置関係にある謂わば同じものである。そのため、以下の説明では、区別しない。
【００４３】
図６Ａは、側端部１１ｅｓの概略拡大図であり、図６Ｂは、図６Ａ中のＢ―Ｂ矢視の概略図である。上述のように、側端部１１ｅｓには、接合部ｊが、縦方向に沿って胴回り開口部１ＨＢの方から脚回り開口部１ＨＬの方へと延在している。詳しくは、接合部ｊは、前後方向（図６Ａでは紙面を貫通する方向）にへこんで形成された複数の溶着部ｊｍ，ｊｍ…を縦方向に並んで有し、複数の溶着部ｊｍ，ｊｍ…は、所定の規則性を有した溶着パターンで形成されている。例えば、この例では、各溶着部ｊｍは、それぞれ縦方向に隣り合う溶着部ｊｍとの間に間隔をあけながら、横方向に長い略長方形に形成されている。
【００４４】
また、同図６Ａ及び図６Ｂに示すように、側端部１１ｅｓは、互いの坪量（ｇ／ｍ2）が異なる二つの部分１１ｅｓ１，１１ｅｓ２を縦方向に並んで有している。すなわち、図６Ｂに示すように、胴回り開口部１ＨＢでの腹側部外面シート１３ａ及び背側部外面シート１３ｂの折り返しに起因して、側端部１１ｅｓにおける略上半部１１ｅｓｕには、腹側部１１ａにおける三層構造の部分と背側部１１ｂにおける三層構造の部分とが互いに重ね合わせられてなる六層構造の部分が存在し、他方、同側端部１１ｅｓの略下半部１１ｅｓｄには、腹側部１１ａにおける二層構造の部分と背側部１１ｂにおける二層構造の部分とが互いに重ね合わせられてなる四層構造の部分が存在している。そして、前者の六層構造の部分は、大きな坪量（第１坪量（ｇ／ｍ2）に相当）の大坪量部分１１ｅｓ１をなしている一方、後者の四層構造の部分は、大坪量部分１１ｅｓ１よりも小さい坪量（第２坪量（ｇ／ｍ2）に相当）の小坪量部分１１ｅｓ２をなしている。そして、大坪量部分１１ｅｓ１と小坪量部分１１ｅｓ２との間には、大きな坪量（ｇ／ｍ2）から小さな坪量（ｇ／ｍ2）へと変化する変化部１１ｅｓｐが、横方向に沿った直線状に存在している。
【００４５】
ここで、既述のように、かかる変化部１１ｅｓｐでは、側端部１１ｅｓの剛性が大きく変化する。そのため、同変化部１１ｅｓｐは、側端部１１ｅｓを縦方向に折り曲げる起点となり易く、よって、かかる変化部１１ｅｓｐを摘まむようにすれば、摘まむ指に変化部１１ｅｓｐが速やかに倣って折れ曲がることから、安定して側端部１１ｅｓを摘まむことができるものと考えられる。
【００４６】
また、図６Ａに示すように、この第１実施形態では、当該変化部１１ｅｓｐを更に折れ曲がり易くする目的で、同変化部１１ｅｓｐには、前後方向に貫通する貫通孔Ｈが形成されている。すなわち、貫通孔Ｈが形成されることによって変化部１１ｅｓｐの剛性は更に下げられている。よって、変化部１１ｅｓｐでの折れ曲がり性は更に良好となって、これにより、更に安定して摘まむことが可能となっている。
【００４７】
なお、この例では、かかる貫通孔Ｈの形成は、溶着部ｊｍの底部が概ねその形状で開口することにより実現されており、結果、貫通孔Ｈの寸法仕様を、溶着部ｊｍの底面と略同形且つ同面積としている。すなわち、溶着部ｊｍが横方向に長い略長方形に形成されていることから、貫通孔Ｈも横方向に長い略長方形に形成されている。但し、何等これに限らない。例えば、貫通孔Ｈの形状を溶着部ｊｍの底面の形状とは異なる円形等の形状にしても良いし、また、貫通孔Ｈの面積の方を溶着部ｊｍの底面の面積よりも大きくしても良いし、逆に小さくしても良い。ちなみに、前者の如く貫通孔Ｈの面積の方を大きくした方が、変化部１１ｅｓｐの折れ曲がり性を高めることができる。
【００４８】
また、図６Ａに示すように、この例では、貫通孔Ｈは、横方向に沿った直線状の変化部１１ｅｓｐを縦方向に跨がって形成されている。すなわち、貫通孔Ｈの一部が変化部１１ｅｓｐに形成されており、これにより、貫通孔Ｈは大坪量部分１１ｅｓ１と小坪量部分１１ｅｓ２との両者に跨がって形成されているが、何等これに限らない。例えば、図７Ａに示すように、変化部１１ｅｓｐの近傍部分に貫通孔Ｈを位置させつつ、当該貫通孔Ｈの全域が大坪量部分１１ｅｓ１に含まれるように形成しても良いし、或いは、図７Ｂに示すように、変化部１１ｅｓｐの近傍部分に貫通孔Ｈを位置させつつ、当該貫通孔Ｈの全域が小坪量部分１１ｅｓ２に含まれるように形成しても良い。ちなみに、前者と後者とを比べた場合には、後者の方が好ましい。すなわち、貫通孔Ｈの全域が小坪量部分１１ｅｓ２に含まれるように貫通孔Ｈを形成した方が、小坪量部分１１ｅｓ２の坪量が小さい分だけ、より高い折れ曲がり性を奏することができる。
なお、変化部１１ｅｓｐの近傍部分とは、変化部１１ｅｓｐから縦方向の両側にそれぞれ１０ｍｍ離れた位置までの間の部分のことである。そして、変化部１１ｅｓｐを含む当該近傍部分が、請求項に係る「所定範囲の部分」に相当する。
【００４９】
かかる溶着部ｊｍの底部及び貫通孔Ｈの横方向の寸法については、例えば４ｍｍ〜１０ｍｍのうちの任意値が最大値となるように選択され、同じく縦方向の寸法については、例えば０．５ｍｍ〜２ｍｍのうちの任意値が最大値となるように選択される。また、溶着部ｊｍの縦方向の形成ピッチは、例えば溶着部ｊｍの底部の縦方向の寸法の最大値の１．５倍〜３倍の値に設定される。但し、何等これらに限らない。
【００５０】
また、この例では、横方向たる左右の各側端部１１ｅｓ，１１ｅｓ（図２）の両方に対して、それぞれ変化部１１ｅｓｐに貫通孔Ｈを形成していたが、何等これに限らない。例えば、仮に、各側端部１１ｅｓ，１１ｅｓのうちの一方の側端部１１ｅｓは摘まみ易いが、もう一方の側端部１１ｅｓは摘まみ難いというように側端部１１ｅｓ，１１ｅｓ同士で摘まみ易さが相違する場合には、当該摘まみ難い方の側端部１１ｅｓについてだけ貫通孔Ｈを形成し、摘まみ易い方の側端部１１ｅｓについては貫通孔Ｈを形成しなくても良い。
【００５１】
更に、図８Ａ及び図８Ｂに示すように、この例では、側端部１１ｅｓのうちで貫通孔Ｈが形成された部分１１ｅｓｈには、腹側部１１ａ及び背側部１１ｂに伸縮性を付与するための糸ゴム１５が配置されていない。すなわち、複数の糸ゴム１５，１５…のうちで貫通孔Ｈに最も近い位置の糸ゴム１５ｃにあっては、同糸ゴム１５ｃの縦方向における配置位置が、貫通孔Ｈよりも上方又は下方の位置にずらされている。よって、同側端部１１ｅｓのうちで貫通孔Ｈが形成された部分１１ｅｓｈに糸ゴム１５ｃの収縮力が作用することを効果的に防ぐことができて、これにより、貫通孔Ｈが横方向に収縮して潰れることが抑えられる。そして、その結果、上記側端部１１ｅｓのうちの貫通孔Ｈの近傍部分を摘み易い状態に維持することができる。
【００５２】
また、図８Ｂに示すように、この例では、腹側部１１ａに固定された複数の糸ゴム１５，１５…のうちで貫通孔Ｈに最も近い位置に配された糸ゴム１５ｃと、背側部１１ｂに固定された複数の糸ゴム１５，１５…のうちで貫通孔Ｈに最も近い位置に配された糸ゴム１５ｃとは、縦方向の配置位置が互いに同じ位置とされていて揃っているが、何等これに限らない。例えば、図９Ｂに示すように、前者の糸ゴム１５ｃと後者の糸ゴム１５ｃとを縦方向にずらして配置しても良い。そして、このようにしていれば、上記側端部１１ｅｓのうちで貫通孔Ｈが形成された部分１１ｅｓｈに対して、腹側部１１ａ及び背側部１１ｂの両方から糸ゴム１５ｃ，１５ｃの収縮力が作用して集中してしまうことを効果的に防ぐことができて、これにより、貫通孔Ｈが横方向に収縮して潰れることを確実に抑制可能となる。そして、その結果、上記側端部１１ｅｓのうちの貫通孔Ｈの近傍部分を摘み易い状態に維持することができる。
【００５３】
更に、図６Ｂに示すように、この例では、腹側部１１ａにおける三層構造の部分と背側部１１ｂにおける三層構造の部分とが、縦方向の位置に関して一致しており、同様に腹側部１１ａにおける二層構造の部分と背側部１１ｂにおける二層構造の部分とが、縦方向の位置に関して一致している。そして、これにより、腹側部１１ａにおいて大きな坪量から小さな坪量へと変化する変化部１１ｅｓｐａと、背側部１１ｂにおいて大きな坪量から小さな坪量へと変化する変化部１１ｅｓｐｂとは、互いの縦方向の位置が同位置に揃っていたが、何等これに限らない。例えば、図１０に示すように、互いの変化部１１ｅｓｐａ，１１ｅｓｐｂの縦方向の位置に異なるように変化部１１ｅｓｐａ，１１ｅｓｐｂ同士を縦方向にずらしても良い。
【００５４】
そして、このようにしていれば、腹側部１１ａの坪量と背側部１１ｂの坪量とを合わせてなる坪量の合計値（ｇ／ｍ2）の縦方向の変化については、大きな坪量から小さな坪量へと移行する際に、これらの間の大きさの坪量を経るようになる。すなわち、この場合には、同図１０に示すように、側端部１１ｅｓにおける変化部１１ｅｓｐは、縦方向に所定の長さの領域として存在するようになる。よって、指で当該変化部１１ｅｓｐを摘まんだ際に、当該変化部１１ｅｓｐは徐々に曲がることができて指に倣い易くなり、その結果、当該変化部１１ｅｓｐを摘み易くなる。
【００５５】
以上、側端部１１ｅｓの変化部１１ｅｓｐなどに形成される貫通孔Ｈについて説明したが、かかる貫通孔Ｈの形成方法としては種々の方法を用いることができる。例えば、側端部１１ｅｓで腹側部１１ａと背側部１１ｂとを接合した後に、側端部１１ｅｓにおける貫通孔Ｈの形成対象部分に対してダイカッターやパンチ等の適宜な打ち抜き装置で打ち抜き加工を施すことにより貫通孔Ｈを形成しても良い。但し、その場合には、貫通孔Ｈの形成用に上記打ち抜き装置を用意しなければならず、また、打ち抜き加工分だけ、製造に要する時間も増えてしまう。
この点につき、次のようにすれば、側端部１１ｅｓでの接合処理の際に、ほぼ同時に貫通孔Ｈも形成することができて、これにより、上記の問題を解決することができる。
【００５６】
先ず、接合処理には、不図示の超音波溶着装置を用いる。超音波溶着装置は、超音波エネルギーを溶着対象部分に投入することによって、溶着対象部分を摩擦発熱して溶着する。そして、溶着した部分が溶着部ｊｍ，ｊｍ…として外装シート１１上に残存する。
かかる超音波溶着装置は、例えば、上記の縦方向に対応する方向（以下、ＣＤ方向とも言う）に延びたレール状のホーンを有する。ホーンは、超音波振動を行う発振面を有する。発振面は、ＣＤ方向に延びた帯状平面をなしており、その法線方向に２０〜３５ｋＨｚ等の所定周波数で超音波振動する。また、同装置は、ホーンの上記帯状平面をＣＤ方向に転がり可能なローラー状のアンビル（以下、アンビルローラーと言う）を有している。アンビルローラーの外周面には、前述の溶着パターンたる溶着部ｊｍ，ｊｍ…の形成パターンに対応させて複数の突部が設けられている。そして、パンツ型にすべく二つ折り状態された外装シート１１の縦方向がＣＤ方向に揃うように、外装シート１１の側端部１１ｅｓがホーンの発振面たる上記帯状平面上に載置されるとともに、ホーンが超音波振動をしている間に、アンビルローラーがＣＤ方向に沿って外装シート１１の側端部１１ｅｓを横断することによって、複数の溶着部ｊｍ，ｊｍ…が同側端部１１ｅｓに形成されるが、ここで、この横断時には、ＣＤ方向に単位長さ当たりに投入される超音波エネルギー（Ｊ／ｍ）が、側端部１１ｅｓの変化部１１ｅｓｐにおいてのみ大きくなるように調整される。そして、これにより、変化部１１ｅｓｐに形成される予定の溶着部ｊｍが選択的に溶損して開口し、その結果、同変化部１１ｅｓｐに貫通孔Ｈが形成される。なお、超音波エネルギー（Ｊ／ｍ）の大きさを変更する方法としては、超音波振動の振幅を変更すること、ホーンへのアンビルローラーの押し付け力を変更すること、ホーンとアンビルローラーとの間の間隔を変更すること等を例示することができる。
【００５７】
＝＝＝第２実施形態＝＝＝
図１１Ａ及び図１１Ｂは、それぞれ、第２実施形態の側端部１１ｅｓの概略拡大図である。前述の第１実施形態では、複数の溶着部ｊｍ，ｊｍ…が全体として形作る溶着パターンの一例として、図６Ａに示すように、横方向に長い溶着部ｊｍ，ｊｍ…が縦方向に一直線に並んでなる縦並びパターンを例示した。また、既述のように、貫通孔Ｈの形成が、溶着部ｊｍの底部が概ねその形状で開口することによって実現されていたことから、貫通孔Ｈの寸法仕様は、溶着部ｊｍの底部の寸法仕様と概ね揃っており、例えば、かかる寸法仕様のうちの形状は、横方向に長い略長方形であった。
【００５８】
この点につき、この第２実施形態では、溶着パターンや、溶着部ｊｍの寸法仕様、並びに貫通孔Ｈ２の寸法仕様が、第１実施形態と異なる点で主に相違し、それ以外の点は概ね第１実施形態と同様である。そのため、以下では、この相違点について主に説明し、同様の構成については、同じ符号を付して、その説明については省略する。
【００５９】
図１１Ａに示すように、この第２実施形態では、側端部１１ｅｓに格子状パターンで円形の溶着部ｊｍ２，ｊｍ２…が複数形成されている。すなわち、格子模様の各交点位置にそれぞれ離散的に溶着部ｊｍ２，ｊｍ２…が形成されており、そして、各溶着部ｊｍ２の底面の形状は、円形の一例としての楕円形状とされている。また、貫通孔Ｈ２については、第１実施形態の場合と同様に、その形成が、溶着部ｊｍ２の底部が概ねその形状で開口することにより実現されていることから、貫通孔Ｈ２の寸法仕様も、溶着部ｊｍ２の底部と概ね同寸の楕円形状とされている。
【００６０】
なお、溶着部ｊｍ２の底部及び貫通孔Ｈ２の横方向の寸法については、例えば０．５ｍｍ〜４ｍｍのうちの任意値が最大値となるように選択され、同じく縦方向の寸法については、例えば０．３ｍｍ〜３ｍｍのうちの任意値が最大値となるように選択される。また、溶着部ｊｍ２の横方向の形成ピッチは、例えば溶着部ｊｍ２の底部の横方向の寸法の最大値の１．５倍〜３倍の値に設定され、同じく縦方向の形成ピッチは、例えば溶着部ｊｍ２の底部の縦方向の寸法の最大値の１．５倍〜３倍の値に設定される。但し、何等これらに限らない。
【００６１】
また、溶着部ｊｍ２の底部の形状、及び貫通孔Ｈ２の形状の他の例としては、正円形、又は、四角形等の多角形などを例示することができ、更に、溶着パターンの他の例としては、千鳥パターンなどを例示することができるが、何等これに限らない。
【００６２】
ところで、この図１１Ａの例では、複数の貫通孔Ｈ２，Ｈ２…が、側端部１１ｅｓにおける変化部１１ｅｓｐ及びその近傍部分にのみ選択的に形成されているが、何等これに限らない。すなわち、図１１Ｂに示すように、貫通孔Ｈ２，Ｈ２…は、側端部１１ｅｓにおける変化部１１ｅｓｐ及びその近傍部分以外の部分１１ｅｓｒに形成されていても良い。
【００６３】
但し、その場合に望ましくは、側端部１１ｅｓのうちで変化部１１ｅｓｐ及びその近傍部分の単位面積に占める貫通孔Ｈ２，Ｈ２…の面積の割合を、同側端部１１ｅｓにおいて上記部分以外の部分１１ｅｓｒの単位面積に占める貫通孔Ｈ２，Ｈ２…の面積の割合よりも大きくすると良い。
そして、このようにしていれば、図１１Ｂに示すように、貫通孔Ｈ２，Ｈ２…は、上記側端部１１ｅｓのうちで変化部１１ｅｓｐ及びその近傍部分に密集して設けられた状態となる。そして、これにより、当該変化部１１ｅｓｐ及びその近傍部分は、上記側端部１１ｅｓのうちで外観上特に目立った部分となる。よって、摘むべき上記変化部１１ｅｓｐ及びその近傍部分に介護者は自然と目がいき易くなって、その結果、上記側端部１１ｅｓのうちの変化部１１ｅｓｐ及びその近傍部分を摘むように介護者は速やかに誘導されるようになる。
ちなみに、上述した「変化部１１ｅｓｐ及びその近傍部分の単位面積」には、そこに形成される貫通孔Ｈ２，Ｈ２…の面積も含まれ、同様に、上述した「部分１１ｅｓｒの単位面積」にも、そこに形成される貫通孔Ｈ２，Ｈ２…の面積も含まれるのは言うまでもない。
【００６４】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００６５】
上述の実施形態では、溶着パターンの一例として、縦並びパターンや格子状パターン等のように離散的に複数の溶着部ｊｍ（ｊｍ２）を形成するパターンを例示したが、何等これに限らない。例えば、図１Ａで例示したようなパターン、すなわち、単一の溶着部ｊｍ’が側端部１１ｅｓにおける縦方向の略全長に亘って帯状に連続してなるベタ状パターンであっても良い。
【００６６】
上述の実施形態では、第１部品としての吸収性本体３を非肌側から第２部品としての平面視略砂時計形状の外装シート１１で覆ってなる２ピースタイプのおむつ１を例示したが、何等これに限らない。例えば、本発明に係る前述の貫通孔Ｈを、所謂３ピースタイプのおむつ１ａに対して形成しても良い。詳しくは次の通りである。
先ず、図１２に示すように、同おむつ１ａは、第１部品として着用者の股間に配される吸収性本体３を有し、第２部品として同着用者の腹側に配される腹側帯部材２１ａを有し、第３部品として同着用者の背側に配される背側帯部材２１ｂを有している。
また、図１２の展開状態では、腹側帯部材２１ａと背側帯部材２１ｂとが互いの間に間隔をあけて平行に並んだ状態で、これらの間に吸収性本体３が掛け渡されつつ、同吸収性本体３の長手方向の各端部３ｅａ，３ｅｂがそれぞれ最寄りの帯部材２１ａ，２１ｂに接合固定されており、その外観形状は平面視略Ｈ形状をなしている。そして、この展開状態から、吸収性本体３が長手方向の略中央部３ｍで二つ折りされるとともに、この二つ折りの状態において互いに重ね合わせられる帯部材２１ａ，２１ｂ同士が、上記長手方向と直交する幅方向（横方向に相当し、以下では「横方向」とも言う）の各端部２１ｅｓにて接合されると、これら帯部材２１ａ，２１ｂ同士が環状に繋がって、これにより、胴周り開口部及び一対の脚周り開口部が形成されたおむつ１ａとなる。なお、かかるおむつ１ａの装着状態にあっては、不図示であるが、上記の横方向と直交する縦方向の上方に胴回り開口部が位置し、下方に一対の脚回り開口部が位置する。
ここで、これら腹側帯部材２１ａ及び背側帯部材２１ｂについても、熱可塑性樹脂繊維を含む不織布等のシートを素材として形成されている。また、前述の第１実施形態の場合と同様に、胴回り開口部の位置で上記シートが折り返されることにより、腹側帯部材２１ａ及び背側帯部材２１ｂの両者における縦方向の略上半部２１ａｕ，２１ｂｕには、大きな坪量の大坪量部分が位置している一方、同縦方向の略下半部２１ａｄ，２１ｂｄには、小さな坪量の小坪量部分が位置している。そして、これにより、かかる腹側帯部材２１ａと背側帯部材２１ｂとが接合される横方向の端部２１ｅｓについても、その略上半部には、大きな坪量の大坪量部分が位置している一方、同縦方向の略下半部には、小さな坪量の小坪量部分が位置している。そして、かかる大坪量部分と小坪量部分との間には、坪量が変化する変化部（不図示）が位置しており、更に、上記端部２１ｅｓのうちの変化部及びその近傍部分には、貫通孔（不図示）が形成されている。なお、吸収性本体３の構成は、前述したものと概ね同じであるので、その説明については省略する。
【００６７】
上述の実施形態では、腹側部１１ａと背側部１１ｂとを側端部１１ｅｓで接合する方法として溶着を例示したが、何等これに限らない。例えばホットメルト接着剤を塗布することにより腹側部１１ａと背側部１１ｂとを接着しても良い。
【００６８】
上述の実施形態では、図６Ａ及び図６Ｂに示すように、側端部１１ｅｓの略上半部１１ｅｓｕを六層構造にするとともに同下半部１１ｅｓｄを四層構造にすることによって、略上半部１１ｅｓｕの坪量と略下半部１１ｅｓｄの坪量とを互いに異ならせて、これにより、略上半部１１ｅｓｕと略下半部１１ｅｓｄとの間の位置に、坪量が変化する変化部１１ｅｓｐを設けていたが、何等これに限らない。すなわち、腹側部１１ａの坪量と背側部１１ｂの坪量との合計値（ｇ／ｍ2）が、第１坪量（ｇ／ｍ2）から第２坪量（ｇ／ｍ2）へと変化する変化部１１ｅｓｐを側端部１１ｅｓが有していれば、積層構造は、何等上記の六層構造及び四層構造に限るものではなく、これら以外の積層構造を採用しても良い。例えば、側端部１１ｅｓの略上半部１１ｅｓｕを八層構造にするとともに同下半部１１ｅｓｄを四層構造にしても良いし、或いは、側端部１１ｅｓの略上半部１１ｅｓｕを四層構造にするとともに同下半部１１ｅｓｄを二層構造にしても良い。
【００６９】
更には、図１３Ａ及び図１３Ｂに示すように、外装シート１１の腹側部１１ａにおいて吸収性本体３の端部３ｅａが位置する部分１１ａｅａ、及び同背側部１１ｂにおいて吸収性本体３の端部３ｅｂが位置する部分１１ａｅｂに対して、それぞれ、肌側から帯状のお手当てシート１４，１４を接着又は溶着等によって接合しても良い。かかるお手当てシート１４は、吸収性本体３の各端部３ｅａ，３ｅｂの存在に起因して上記部分１１ａｅａ，１１ａｅｂがそれぞれ着用者の肌にきつく当たってしまうことを緩和する緩衝シート１４であり、その材料としては、不織布などの柔軟なシートが使用される。また、この図１３Ａの例では、お手当てシート１４の形状は、おむつ１の横方向（幅方向）に沿った帯状とされているとともに、同シート１４は、腹側部１１ａ及び背側部１１ｂをそれぞれ横方向（幅方向）の全長に亘って覆って設けられている。そして、かかるお手当てシート１４を設けた場合には、当該お手当てシート１４も外装シート１１の一部をなすことから、図１４に示すように、おむつ１の側端部１１ｅｓにおける腹側部１１ａの坪量と背側部１１ｂの坪量との合計値（ｇ／ｍ2）が、お手当シート１４における縦方向の上端縁部１４ｅｕ及び下端縁部１４ｅｄの各位置でそれぞれ変化する。そのため、かかる場合には、当該側端部１１ｅｓのうちで上記上端縁部１４ｅｕ及び下端縁部１４ｅｄが位置する各部分１１ｅｓｐ１４ｅｕ，１１ｅｓｐ１４ｅｄを前述の「変化部」と見なして、各部分１１ｅｓｐ１４ｅｕ，１１ｅｓｐ１４ｅｄ及びその近傍部分に対して、前述と同様に貫通孔Ｈ，Ｈ２（図１３Ａ乃至図１４では不図示）を形成しても良い。
【符号の説明】
【００７０】
１  おむつ（吸収性物品）、１ａ  おむつ（吸収性物品）、
１ＨＢ  胴回り開口部、１ＨＬ  脚回り開口部、
３  吸収性本体、３ｅａ  端部、３ｅｂ  端部、
３ｃ  吸収性コア、３ｍ  略中央部、
４  トップシート、５  防漏シート、
１１  外装シート、１１ＨＢ  胴回り開口部をなす部分、
１１ＨＢａ  胴回り開口部となる端縁部、１１ＨＢｂ  胴回り開口部となる端縁部、
１１ＨＬ  脚回り開口部をなす部分、
１１ａ  腹側部、１１ｂ  背側部、１１ｃ  股下部、
１１ｕ  略上半部、１１ｄ  略下半部、
１１ｅｓ  側端部（端部）、１１ｅｓ１  大坪量部分、１１ｅｓ２  小坪量部分、
１１ｅｓｕ  略上半部、１１ｅｓｄ  略下半部、
１１ｅｓｐ  変化部、１１ｅｓｐａ  変化部、１１ｅｓｐｂ  変化部、
１１ｅｓｈ  貫通孔が形成された部分、
１１ｅｓｒ  側端部における変化部及びその近傍部分以外の部分、
１１ａｅａ  部分、１１ａｅｂ  部分、
１１ｅｓｐ１４ｅｕ  部分、１１ｅｓｐ１４ｅｄ  部分、
１２  本体シート、１２ａ  腹側部、１２ｂ  背側部、１２ｃ  股下部、
１２ｅＬａ  端縁部、１２ｅＬｂ  端縁部、
１３ａ  腹側部外面シート、１３ａｋ  折り返し部、１３ａｐ  飛び出した部分、
１３ｂ  背側部外面シート、１３ｂｋ  折り返し部、１３ｂｐ  飛び出した部分、
１４  お手当てシート、上端縁部  １４ｅｕ、下端縁部  １４ｅｄ、
１５  糸ゴム（弾性部材）、
１５ｃ  貫通孔に最も近い位置に配された糸ゴム（弾性部材）、
２１ａ  腹側帯部材、２１ｂ  背側帯部材、
２１ａｕ  略上半部、２１ａｄ  略下半部、
２１ｅｓ  端部、
Ｈ  貫通孔、Ｈ２  貫通孔、
ｊ  接合部、ｊｍ  溶着部、ｊｍ２  溶着部、
【図１】
2015150189.tif 000003
【図２】
2015150189.tif 000004
【図３】
2015150189.tif 000005
【図４】
2015150189.tif 000006
【図５】
2015150189.tif 000007
【図６】
2015150189.tif 000008
【図７】
2015150189.tif 000009
【図８】
2015150189.tif 000010
【図９】
2015150189.tif 000011
【図１０】
2015150189.tif 000012
【図１１】
2015150189.tif 000013
【図１２】
2015150189.tif 000014
【図１３】
2015150189.tif 000015
【図１４】
2015150189.tif 000016